(57)【要約】      （修正有）【課題】異なるＲＯＡＤＭサービス側光ファイバ接続の自動ルーティングマッチングを実現した装置及び方法を提供する。【解決手段】ＲＯＡＤＭサービス側光ファイバ接続のマッチング装置は、参照制御光チャネル送信機１と、下りリンクＷＳＳ２と、複数の送信ポートと、参照制御光チャネル受信機３と、上りリンクＷＳＳ４と、複数の受信ポートとを備える。参照制御光チャネル送信機１は、参照制御光チャネル信号を送信する。下りリンクＷＳＳ２は、参照制御光チャネルが各送信ポートでポーリング送信する。参照制御光チャネル受信機３は、参照制御光チャネル信号を受信する。上りリンクＷＳＳ４は、各受信ポートによる参照制御光チャネルをポーリングし、選択し、受信する。参照制御光チャネルは、ＲＯＡＤＭ内のＷＳＳの動作波長範囲内で、かつ、サービス光チャネルの波長範囲外で動作する。【選択図】図２
2020048177.tif 000002
【特許請求の範囲】
【請求項１】
ＲＯＡＤＭサービス側光ファイバ接続のマッチング装置であって、
参照制御光チャネル送信機１と、下りリンクＷＳＳ２と、複数の送信ポートと、参照制御光チャネル受信機３と、上りリンクＷＳＳ４と、複数の受信ポートとを備え、
前記参照制御光チャネル送信機１は、参照制御光チャネル信号を送信するように構成され、前記下りリンクＷＳＳ２は、参照制御光チャネルが各送信ポートでのポーリング送信を実現するように構成され、
前記参照制御光チャネル受信機３は、前記参照制御光チャネル信号を受信するように構成され、前記上りリンクＷＳＳ４は、各受信ポートによる前記参照制御光チャネルのポーリング、選択、受信を実現するように構成され、
前記参照制御光チャネルは、ＲＯＡＤＭ内のＷＳＳの動作波長範囲内で、かつサービス光チャネルの波長範囲外で動作するＲＯＡＤＭサービス側光ファイバ接続のマッチング装置。
【請求項２】
前記ＲＯＡＤＭサービス側光ファイバ接続のマッチング装置は、合波器５をさらに備え、
前記合波器５は、前記参照制御光チャネル送信機１と前記下りリンクＷＳＳ２との間に配置され、前記合波器５は、ＲＯＡＤＭの下りリンクサービス信号を前記参照制御光チャネル信号とともに多重化され、前記下りリンクＷＳＳ２に注入されるように構成される請求項１に記載のＲＯＡＤＭサービス側光ファイバ接続のマッチング装置。
【請求項３】
前記ＲＯＡＤＭサービス側光ファイバ接続のマッチング装置は、分波器６をさらに備え、
前記分波器６は、前記上りリンクＷＳＳ４と前記参照制御光チャネル受信機３との間に配置され、前記分波器６は、前記参照制御光チャネルをＲＯＡＤＭの上りリンクサービス光信号と分離するように構成される請求項１に記載のＲＯＡＤＭサービス側光ファイバ接続のマッチング装置。
【請求項４】
ＲＯＡＤＭサービス側光ファイバ接続のマッチング方法であって、
ＲＯＡＤＭサービス側に参照制御光チャネルを挿入し、前記参照制御光チャネルは、ＲＯＡＤＭ内のＷＳＳの動作波長範囲内で、サービス光チャネルの波長範囲外で動作され、
ＲＯＡＤＭには、上りリンクＷＳＳと、下りリンクＷＳＳと、複数の送信ポートと、複数の受信ポートとが設けられ、
前記方法は、
前記参照制御光チャネルの送信側で、前記下りリンクＷＳＳにより、各送信ポートの間で、参照制御光チャネル信号をポーリング送信し、前記参照制御光チャネルの受信側で、前記上りリンクＷＳＳにより、各受信ポートでポーリング受信し、任意の受信ポートが他のＲＯＡＤＭの送信ポートからの参照制御光チャネル信号を受信した場合、当該ＲＯＡＤＭの対応する受信ポートと前記他のＲＯＡＤＭの対応する送信ポートとの接続のマッチング関係を確立するＲＯＡＤＭサービス側光ファイバ接続のマッチング方法。
【請求項５】
前記参照制御光チャネルの送信側で、各送信ポートを介して送信された前記参照制御光チャネル信号は、ＲＯＡＤＭカード情報及び対応する送信ポート情報が載せられている請求項４に記載のＲＯＡＤＭサービス側光ファイバ接続のマッチング方法。
【請求項６】
前記参照制御光チャネルの送信側で、前記下りリンクＷＳＳにより、各送信ポートの間で、前記参照制御光チャネル信号をポーリング送信することは、
前記下りリンクＷＳＳは、ポーリングにより現在の送信ポートを決定し、参照制御光チャネル送信機は、ＲＯＡＤＭカード情報及び現在の送信ポート情報が載せられている参照制御光チャネル信号を出射し、対応する送信ポートから出射し、載せられた情報を外部に送信し、
下りサービス光信号と前記参照制御光チャネル信号とが同時に存在する場合、前記下りサービス信号は前記参照制御光チャネル信号とともに前記下りリンクＷＳＳに注入され、対応する送信ポートから出射される請求項５に記載のＲＯＡＤＭサービス側光ファイバ接続のマッチング方法。
【請求項７】
前記任意の受信ポートが他のＲＯＡＤＭサービス側ポートからの参照制御光チャネル信号を受信した場合、当該ＲＯＡＤＭの対応する受信ポートと他のＲＯＡＤＭの対応する送信ポートとの接続のマッチング関係を確立することは、
前記上りリンクＷＳＳは、各受信ポートへのポーリングにより現在の受信ポートを決定し、
現在の受信ポートにより、参照制御光チャネル受信機が他の任意の方向のＲＯＡＤＭ送信ポートから出射された参照制御光チャネル信号を受信した場合、受信した前記参照制御光チャネル信号に載せられた情報を解析し、
前記載せられた情報の解析により、前記参照制御光チャネル信号を出射したＲＯＡＤＭ及び対応する送信ポートを決定し、当該ＲＯＡＤＭの現在の受信ポートと、ＲＯＡＤＭの送信に対応する送信ポートとの光ファイバ接続のマッチング関係を確立し、２ポートの光ファイバ接続の設定情報を生成することを含む請求項５に記載のＲＯＡＤＭサービス側光ファイバ接続のマッチング方法。
【請求項８】
現在の受信ポートにより、前記参照制御光チャネル受信機が他の任意の方向のＲＯＡＤＭ送信ポートから出射された参照制御光チャネル信号を受信したことは、ＲＯＡＤＭの上りリンクサービス信号と前記参照制御光チャネル信号との合波光が、現在の受信ポートにより、前記上りリンクＷＳＳに入り、分波された後に、前記参照制御光チャネル信号を前記参照制御光チャネル受信機に注入させる請求項７に記載のＲＯＡＤＭサービス側光ファイバ接続のマッチング方法。
【請求項９】
前記参照制御光チャネル送信機が各送信ポートを介して出射した参照制御光チャネル信号は光パワー情報が載せられ、任意の方向X ROADMの送信ポートｘと他の任意の方向Ｙ ＲＯＡＤＭの受信ポートｙと接続関係を確立した後、前記方法は、
前記方向Ｙ ＲＯＡＤＭに対応する参照制御光チャネル受信機は、受信した光パワーを検出し、同時に解析により、前記方向Ｘ ＲＯＡＤＭの参照制御光チャネル送信機の送信ポートｘを介して送信した光パワー情報を得て、計算により対応するリンク上の挿入損失情報を取得し、
ＲＯＡＤＭカードに予め格納され、事前にキャリブレーションしておいた前記方向Ｘ ＲＯＡＤＭの参照制御光チャネル送信機の送信ポートｘまでの挿入損失、及び前記方向Ｙ ＲＯＡＤＭの受信ポートｙの参照制御光チャネル受信機までの挿入損失を取得し、
上記のデータに基づいて、前記方向Ｘ ＲＯＡＤＭ送信ポートｘと前記方向Ｙ ＲＯＡＤＭ受信ポートｙとの間の光ファイバの物理的接続の挿入損失を計算する
ことを含む請求項４に記載のＲＯＡＤＭサービス側光ファイバ接続のマッチング方法。
【請求項１０】
２つの異なる方向ＲＯＡＤＭカードサービス側ポートの間でデュプレックス接続関係が確立され、かつ前記２つの異なる方向ＲＯＡＤＭが異なるシャーシに配置された場合、前記参照制御光チャネルを、異なるシャーシ間のカスケード接続通信チャネルの予備の物理チャネルとして、シャーシ間カスケード接続インターラクティブのサービスの搬送に用いられる請求項４に記載のＲＯＡＤＭサービス側光ファイバ接続のマッチング方法。
【発明の詳細な説明】
【技術分野】
【０００１】
本発明は、光通信技術の分野に関し、特に、ＲＯＡＤＭサービス側の光ファイバ接続をマッチングさせるための装置および方法に関する。
【背景技術】
【０００２】
再構成可能な光アドドロップマルチプレクサ（ＲＯＡＤＭ，Reconfigurable Optical Add-Drop Multiplexer）は、波長分割多重（ＷＤＭ，Wavelength Division Multiplexing）光ネットワークにおける波長レベルサービスの自動スケジューリングのためのキーになる技術である。ＲＯＡＤＭノード内の異なる方向のＲＯＡＤＭ用の集積回路基板（ＲＯＡＤＭカードとも呼ばれる）のサービス側ポートの間は、光ファイバによって相互接続され、異なる方向間のサービスクロスオーバーを物理的に実現している。ネットワーク管理層においてサービススケジューリングを行うとき、サービスルーティングの正しいスケジューリングを実現するには、異なる方向のＲＯＡＤＭサービス側の光ファイバの物理的接続トポロジ情報を問い合わせる必要がある。例えば、４次元のＲＯＡＤＭノード内の４方向におけるＲＯＡＤＭカードのサービス側での相互接続及び相互通信は、６ペアの光ファイバの接続が必要で、８次元のＲＯＡＤＭノード内の８方向におけるＲＯＡＤＭカードは２８ペアの光ファイバの接続が必要で、２０次元ＲＯＡＤＭノード内、２０のＲＯＡＤＭカードの場合は、１９０ペアの光ファイバの接続が必要になる。
【発明の概要】
【発明が解決しようとする課題】
【０００３】
現在、ＲＯＡＤＭノード内の異なる方向のＲＯＡＤＭサービス側の間の実際の光ファイバ接続に関する情報は、一般的に、手動による設定（configuration）で事前にデータベースに入力され、ＲＯＡＤＭのサービスチャネルの自動スケジューリングに用いられている。しかし、このような方法は効率が悪く、リアルタイム性が悪く、エラーが発生しやすく、エラーの発生後にそのエラーを発見することが困難である。ほかの方法として、ＲＯＡＤＭの回線側に出力されるスペクトル情報を検出することにより、ルーティング・マッチング（routing matching）を実現する方法があるが、スペクトル情報の採集は速度が遅く、サービスチャネルの事前の開設に頼っており、サービス開始前の設定を実現することができず、既存のサービスの設定にも影響を及ぼしかねない。
【０００４】
ネットワークの規模が大きい場合、例えば、方向ａと方向ｂとの間に波長１が存在し、方向ｃと方向ｄとの間にも波長１が存在するなどのように、異なる方向の間に交差する波長が多重化される可能性があり、ルーティング方向情報を載せていないサービス波長に頼るだけでは、正確なマッチングをすることができない。外部サービス側での光ファイバ接続を回避するために光バックプレーン（optical backplane）を使用する方法もあるが、信頼性が低く、コストが高く、ＲＯＡＤＭの次元が高くなると、共通バックプレーン（sharing backplane）もシャーシ（chassis）の体積が大きくなる原因となる。
【０００５】
本発明は、現在、異なる方向のＲＯＡＤＭサービス側のポートの光ファイバの物理的接続情報を確立する場合、手動による設定で物理的光接続関係をデータベースに入力されるため、効率が悪く、リアルタイム性が悪く、エラーが発生しやすく、エラーの発生後にそのエラーを発見することが困難であることが解決しようとする技術的課題である。
【０００６】
本発明の目的は、WSS（Wavelength Selective Switch）を用いて参照制御光チャネル（reference control optical channel）が、ＲＯＡＤＭサービス側ポート間のポーリング（polling）を制御することにより、異なるＲＯＡＤＭサービス側ポート間の光ファイバ接続の自動ルーティング・マッチング（auto-routing matching）を実現し、設定の効率を向上させると同時に、異なるＲＯＡＤＭサービス側のポート間の光ファイバ接続の性能の監視及びシャーシのカスケード接続用の代替物理チャネルとしてのＲＯＡＤＭサービス側光ファイバの接続のためのマッチング装置及び方法を提供することである。
【課題を解決するための手段】
【０００７】
本発明は、次の技術手段によって上記の目的を達成した。
【０００８】
第１の態様において、本発明は、参照制御光チャネル送信機１と、下りリンクＷＳＳ２と、複数の送信ポートと、参照制御光チャネル受信機３と、上りリンクＷＳＳ４と、複数の受信ポートとを備えるＲＯＡＤＭサービス側光ファイバ接続のマッチング装置である。
【０００９】
前記参照制御光チャネル送信機１は、前記参照制御光チャネル信号を送信するように構成され、前記下りリンクＷＳＳ２は、前記参照制御光チャネルが各送信ポート（emitting port）でのポーリング送信（polling emission）を実現するように構成されている。
【００１０】
前記参照制御光チャネル受信機３は、前記参照制御光チャネル信号を受信するように構成され、上りリンクＷＳＳ４は、各受信ポートによる参照制御光チャネルのポーリング、選択、受信を実現するように構成されている。
【００１１】
ここで、前記参照制御光チャネルは、ＲＯＡＤＭ内のＷＳＳの動作波長範囲内で、かつサービス光チャネルの波長範囲外で動作する。
【００１２】
好ましくは、合波器（combiner）５をさらに備え、前記合波器５は、前記参照制御光チャネル送信機１と前記下りリンクＷＳＳ２との間に配置され、前記合波器５は、ＲＯＡＤＭの下りリンクサービス信号を前記参照制御光チャネル信号とともに多重化され、下りリンクＷＳＳ２に注入されるように構成される。
【００１３】
好ましくは、分波器（wave separator）６をさらに備え、前記分波器６は、前記上りリンクＷＳＳ４と前記参照制御光チャネル受信機３との間に配置され、前記分波器６は、前記参照制御光チャネルをＲＯＡＤＭの上りリンクサービス光信号と分離するように構成される。
【００１４】
第２の態様において、本発明は、ＲＯＡＤＭサービス側の光ファイバ接続のマッチング方法をさらに提供する。前記方法は、上記第１の態様によるＲＯＡＤＭサービス側光ファイバ接続のマッチング装置によって実現することができ、ＲＯＡＤＭサービス側に参照制御光チャネルを挿入し、前記参照制御光チャネルは、ＲＯＡＤＭ内のＷＳＳの動作波長範囲内で、サービス光チャネルの波長範囲外で動作する。ここで、ＲＯＡＤＭには、上りリンクＷＳＳと、下りリンクＷＳＳと、複数の送信ポート（emitting port）と、複数の受信ポートとが設けられている。
【００１５】
前記方法は、具体的に、
参照制御光チャネル送信側において、前記下りリンクＷＳＳにより、各送信ポートの間で、参照制御光チャネル信号をポーリング送信する。参照制御光チャネル受信側において、上りリンクＷＳＳにより、各受信ポートでポーリング受信し、任意の受信ポートが他のＲＯＡＤＭの送信ポートからの参照制御光チャネル信号を受信した場合、当該ＲＯＡＤＭの対応する受信ポートと他のＲＯＡＤＭの対応する送信ポートとの接続のマッチング関係を確立する。
【００１６】
好ましくは、参照制御光チャネルの送信側で、各送信ポートを介して送信された参照制御光チャネル信号は、ＲＯＡＤＭカード情報及び対応する送信ポート情報が載せられている。
【００１７】
好ましくは、前記参照制御光チャネルの送信側で、前記下りリンクＷＳＳにより、各送信ポートで、参照制御光チャネル信号がポーリング送信される。具体的には、前記下りリンクＷＳＳは、ポーリングにより、現在の送信ポートを決定し、参照制御光チャネル送信機は、ＲＯＡＤＭカード情報及び現在の送信ポート情報が載せられている参照制御光チャネル信号を出射し、対応する送信ポートから出射し、載せられた情報を外部に送信する。
【００１８】
下りサービス光信号と前記参照制御光チャネル信号とが同時に存在する場合、前記下りサービス信号は参照制御光チャネル信号とともに前記下りリンクＷＳＳに注入され、対応する送信ポートから出射される。
【００１９】
好ましくは、前記任意の受信ポートが他のＲＯＡＤＭの送信ポートからの参照制御光チャネル信号を受信した場合、当該ＲＯＡＤＭの対応する受信ポートとほかのＲＯＡＤＭの対応する送信ポートとの接続マッチング関係を確立することは、具体的に次のことを含む。
【００２０】
前記上りリンクＷＳＳは、各受信ポートへのポーリングにより、現在の受信ポートを決定し、
現在の受信ポートにより、参照制御光チャネル受信機が他の任意の方向のＲＯＡＤＭ送信ポートから出射された参照制御光チャネル信号を受信した場合、受信した前記参照制御光チャネル信号に載せられた情報を解析し、
前記載せられた情報の解析により、前記参照制御光チャネル信号を出射したＲＯＡＤＭ及び対応する送信ポートを決定し、当該ＲＯＡＤＭの現在の受信ポートと、ＲＯＡＤＭの送信に対応する送信ポートとの光ファイバ接続のマッチング関係を確立し、２ポートの光ファイバ接続の設定情報を生成する。
【００２１】
好ましくは、現在の受信ポートにより、参照制御光チャネル受信機が他の任意の方向のＲＯＡＤＭ送信ポートから送信された参照制御光チャネル信号を受信したことは、具体的に、ＲＯＡＤＭの上りリンクサービス信号と前記参照制御光チャネル信号との合波光が、現在の受信ポートにより、前記上りリンクＷＳＳに入り、分波された後に前記参照制御光チャネル信号を前記参照制御光チャネル受信機に注入させる。
【００２２】
好ましくは、前記参照制御光チャネル送信機によって各送信ポートを介して出射された参照制御光チャネル信号には光パワー情報が載せられており、任意の方向Ｘ ＲＯＡＤＭの送信ポートｘと他の方向Ｙ ＲＯＡＤＭの受信ポートｙと接続関係を確立した後、前記方法はさらに次のことを含む。
【００２３】
前記方向Ｙ ＲＯＡＤＭに対応する参照制御光チャネル受信機は、受信した光パワーを検出すると同時に解析を行い、前記方向Ｘ ＲＯＡＤＭの参照制御光チャネル送信機の送信ポートｘを介して送信された光パワー情報を得て、対応するリンク上の挿入損失（insertion loss）情報を計算により取得し、
ＲＯＡＤＭカードに予め格納され、事前にキャリブレーションされておいた前記方向Ｘ ＲＯＡＤＭの参照制御光チャネル送信機の送信ポートｘまでの挿入損失、及び前記方向Ｙ ＲＯＡＤＭの受信ポートｙの参照制御光チャネル受信機までの挿入損失を取得し、
上記のデータに基づいて、前記方向Ｘ ＲＯＡＤＭ送信ポートｘと前記方向Ｙ ＲＯＡＤＭ受信ポートｙとの間の光ファイバの物理的接続の挿入損失を計算する。
【００２４】
好ましくは、任意方向のＸ ＲＯＡＤＭのポートが他の任意方向Ｙ ＲＯＡＤＭのポートとデュプレックス接続関係が確立され、かつ前記方向Ｘ ＲＯＡＤＭと前記方向Ｙ ＲＯＡＤＭとが異なるシャーシに配置された場合、前記参照制御光チャネルは、異なるシャーシ間のカスケード接続の通信チャネルを予備の物理チャネルとして、シャーシ間カスケード接続インターラクティブのサービスの搬送（carrying cascade interactive services between the chassis）に用いられる。
【発明の効果】
【００２５】
従来技術に対する本発明の有益な効果は以下の通りである。
【００２６】
本発明によって提供されたＲＯＡＤＭサービス側光ファイバ接続のためのマッチング装置及び方法において、ＲＯＡＤＭサービス側で、ＷＳＳによってサポート可能な波長範囲内及びサービス光チャネルの波長範囲外で動作する参照制御光チャネルを挿入し、ＷＳＳで参照制御光チャネルのＲＯＡＤＭサービス側ポート間のポーリングを制御し、異なるＲＯＡＤＭサービス側ポート間の物理接続の自動ルーティング・マッチングを実現し、光ファイバ接続ルーティングの手動による設定の効率低下の問題を解決した。同時に、異なる方向ＲＯＡＤＭの対応するポートで接続関係が確立された場合は、異なる方向ＲＯＡＤＭのサービス側光ファイバ接続の性能をさらに検出することができ、異なる方向ＲＯＡＤＭが異なるシャーシに配置された場合は、参照制御光チャネルの通信はさらに異なるシャーシ間のカスケード接続通信チャネルの予備の物理チャネルとすることができる。
【図面の簡単な説明】
【００２７】
本発明の実施形態の技術手段をより明確に説明するために、次に、本発明の実施形態で使用される図面を簡単に説明する。明らかに、以下に説明される図面は本発明のいくつかの実施形態にすぎず、所属分野における技術者にとって、創造的な労働をすることなく、これらの図面に基づいて他の図面を取得することができる。
【図１】図１は、本発明の一実施形態による参照制御光チャネルとサービス光チャネルとの周波数の関係を示す。
【図２】図２は、本発明の一実施形態による参照制御光チャネルを含む単方向ＲＯＡＤＭの概略構造図である。
【図３】図３は、本発明の一実施形態による参照制御光チャネルを備える別の単方向ＲＯＡＤＭの概略構造図である。
【図４】図４は、本発明の一実施形態による参照制御光チャネルを用いた４つの異なる方向におけるＲＯＡＤＭカードのサービス側の光ファイバ接続の概略図である。
【図５】図５は、本発明の一実施形態による参照制御光チャネルが挿入された後のＲＯＡＤＭ上りリンクサービスのフローチャートである。
【図６】図６は、本発明の一実施形態による参照制御光チャネルによって、異なるＲＯＡＤＭサービス側のポート間の相互接続関係を確立する制御フローチャートである。
【図７】図７は、本発明の一実施形態による参照制御光チャネルを用いて、光ファイバの物理的接続性能を検出するためのフローチャートである。
【図８】図８は、本発明の一実施形態による参照制御光チャネルを用いて、方向Ｘ ＲＯＡＤＭ及び方向Ｙ ＲＯＡＤＭポートの光ファイバ接続を例示する図である。
【図９】図９は、本発明の一実施形態による異なるシャーシ間のカスケード接続通信チャネルとして参照制御光チャネルを用いる予備の物理チャネルを例示する図である。
【発明を実施するための形態】
【００２８】
本発明の目的、技術手段及び利点をより明確にするために、以下に、添付の図面および実施形態を参照しながら、本発明に対してさらなる詳細な説明をする。本明細書で述べた具体的な実施形態は、本発明の解釈にのみ用いられ、本発明の限定に用いられるものではないことは理解される。
【００２９】
本発明の説明において、用語「内」、「外」、「縦方向」、「横方向」、「上」、「下」、「頂」、「底」等によって示された向きまたは位置関係は、図面に示された向きまたは位置関係に基づくものであり、本発明の説明の便宜上使用されるものであり、本発明が必ず特定の向き構造及び動作を求めるものではなく、本発明を限定することを意図するものではない。
【００３０】
さらに、以下に記載される本発明の様々な実施形態に含まれる技術的特徴は、互いに矛盾しない限り、互いに組み合わせることが可能である。以下、図面及び実施形態を参照しながら、本発明を詳細に説明する。
【００３１】
実施形態１
本発明に係る位置の実施形態は、ＲＯＡＤＭサービス側の光ファイバ接続のためのマッチング装置を提供する。前記装置は、一方向のＲＯＡＤＭに対して、ＲＯＡＤＭサービス側に参照制御光チャネルが挿入され、前記参照制御光チャネルは、ＲＯＡＤＭにおいて波長選択スイッチ（「ＷＳＳ」という，Wavelength selector switch）の動作波長範囲内で、サービス光チャネル波長範囲外で動作する。このようにすると、参照制御用光チャネルは、サービス用光チャネルの波長を占用せずに独立して通信することができるので、サービス用光信号の有無の制約を受けず、ネットワーク内に既存のサービス用光信号に対しても影響を及ぼさない。
【００３２】
図１に示したように、ＲＯＡＤＭのサービス光チャネルの占用する周波数はｆ１とｆ２との間で、主に光増幅器の動作波長に依存するが、ＲＯＡＤＭにおいて、ＷＳＳの動作周波数はｆ１乃至ｆ２を含むｆ０乃至ｆ３との間で、すると、ｆ０乃至ｆ１の間またはｆ２乃至ｆ３の間に参照制御光チャネルを挿入することができる。ＷＳＳは任意の波長のルーティングを独立して設定することができるため、サービス光チャネルの信号は参照制御光チャネルの挿入による影響を受けない。
【００３３】
ここで、前記参照制御光チャネルの選択原則は、具体的に、一般に、Ｃバンド通信は４０ｎｍのサービス光帯域幅を占用し、図１を参照して、サービス光チャネルの占用周波数区間に対応するｆ１及びｆ２は、それぞれ１９１．３２５ＴＨｚ及び１９６．１２５ＴＨｚで、ＷＳＳはより広い周波数範囲をサポートすることができ、例えば、ｆ０及びｆ３がそれぞれ１９１．１２５ＴＨｚと１９６．２７５ＴＨｚであると仮定する。すると、ｆ０とｆ１との間の０．２Ｔ及び、ｆ２とｆ３との間の０．１５Ｔは、参照制御光チャネルによって占用されてもよい。ここで、サービス光チャネルの周波数範囲及びＷＳＳ周波数範囲は説明の便宜上のものにすぎず、具体的な周波数範囲は上記の例示と異なってもよく、詳細はここで繰り返さない。
【００３４】
図２を参照すると、前記装置は、参照制御光チャネル送信機１と、下りリンクＷＳＳ２と、下りリンクサービス側の複数の送信ポートと、参照制御光チャネル受信機３と、上りリンクＷＳＳ４と、上りリンクサービス側の複数の受信ポートとを備える。ｎ個の送信ポートとｎ個の受信ポートがあり、ｎ個の送信ポートをポートa1〜ポートanと記し、ｎ個の受信ポートがポートb1〜ポートbnと記す。
【００３５】
一の具体的な実施形態において、図２を参照して、前記下りリンクＷＳＳ２及び前記上りリンクＷＳＳ４は、いずれも１×ｎＷＳＳを採用し、前記装置はさらに合波器５と分波器６とを備える。前記参照制御用光チャネル送信機１と、合波器５と、下りリンクＷＳＳ２と、複数の送信ポートは、いずれも下りリンク側信号の経路上に配置され、前記合波器５は前記参照制御光チャネル送信機１と前記下りリンクＷＳＳ２との間に配置されている。
【００３６】
前記参照制御光チャネル送信機１は、参照制御光チャネル信号を送信（出射）するように構成され、下りリンクサービス光信号が参照制御光チャネル信号と同時に生成された場合、前記合波器５は下りリンクサービス信号と前記参照制御光チャネルと結合した後、前記下りリンクＷＳＳ２に注入されるように構成され、前記下りリンクＷＳＳ２は、下りサービス信号をルーティングすると同時に、前記参照制御光チャネルの各送信ポートでポーリング送信することを実現することができる。
【００３７】
引き続き図２を参照すると、前記参照制御光チャネル受信機３と、上りリンクＷＳＳ４と、分波器６と、複数の受信ポートはいずれも上りリンク側信号の経路上に配置され、前記分波器６は前記上りリンクＷＳＳ４と、前記参照制御光チャネル受信機３との間に配置されている。
【００３８】
前記参照制御光チャネル受信機３は、参照制御光チャネル信号を受信するように構成され、前記上りリンクＷＳＳ４は、上りリンクサービス信号をルーティングすると同時に、各受信ポートで前記参照制御光チャネルをポーリング選択するのに用いられ、分波器６は、前記参照制御光信号とＲＯＡＤＭの上りサービス光信号との分離に用いられ、さらに前記参照制御光信号を、前記参照制御光チャネル受信器３に注入するように構成されている。異なる方向のＲＯＡＤＭの送信ポートと当該ＲＯＡＤＭの受信ポートとの間の物理的接続が正常に存在する場合、対応する２つのポート間で参照制御光チャネルの通信が確立される。具体的な方法は実施形態２で紹介するので、ここでは詳細を省略する。
【００３９】
別の具体的な実施形態において、図３を参照すると、前記下りリンクＷＳＳ２は２×ｎＷＳＳを採用し、前記参照制御光チャネル送信機１と下りリンクＷＳＳ２との間に合波器を設ける必要はなく、下りリンクサービス信号と参照制御光チャネルとの合波は、２×ｎＷＳＳによって直接行われ、および／または、上りリンクＷＳＳ４は２×ｎＷＳＳを採用し、前記参照制御光チャネル受信機３と上りリンクＷＳＳ４との間に分波器を設ける必要はなく、下りリンクサービス信号と参照制御光チャネルとの分波を、２×ｎＷＳＳによって直接行われる。図３には、前記上りリンクＷＳＳ４及び前記下りリンクＷＳＳ２の両方がいずれも２×ｎＷＳＳを採用する場合を示し、これによって構造がさらに簡略化された。
【００４０】
図２に示された単一方向のＲＯＡＤＭの構造を一例とし、現在のネットワークには、方向Ａ ＲＯＡＤＭ、方向Ｂ ＲＯＡＤＭ、方向Ｃ ＲＯＡＤＭ、及び方向Ｄ ＲＯＡＤＭの４つの方向ＲＯＡＤＭが存在し、各方向のＲＯＡＤＭ単位はいずれも図２に示されるようになっていると仮定すると、異なる方向のＲＯＡＤＭサービス側ポート間の光ファイバの接続関係は、図４に示す通りになる。ここで、方向Ａ ＲＯＡＤＭの送信側ポートａ１は、光ファイバによって方向Ｃ ＲＯＡＤＭの受信側ポートｂ１に接続され、方向Ａ ＲＯＡＤＭの送信側ポートａ２は、光ファイバによって方向Ｄ ＲＯＡＤＭの受信側のポートｂ１に接続され、方向Ａ ＲＯＡＤＭの送信側ポートａｎは、光ファイバによって方向Ｂ ＲＯＡＤＭの受信側のポートｂｎに接続される。各ポート間のマッチング方法については、実施形態２で具体的に説明するため、ここでは詳細な説明を省略する。
【００４１】
本発明に係るＲＯＡＤＭサービス側光ファイバ接続のマッチング装置において、参照制御光チャネル送信機と参照制御光チャネル受信機とを備え、ＷＳＳがサポート可能な波長範囲内、かつサービス光チャネルの波長範囲外で動作する参照制御光チャネルを用い、ＷＳＳによって、サービス光に対して干渉のない異なるＲＯＡＤＭサービス側ポート間の光ファイバの自動ルーティング・マッチングを実現し、光ファイバ接続ルーティングの手動による設定の効率低下という問題を解決した。
【００４２】
実施形態２
上述の実施形態１を踏まえ、本発明に係る実施形態は、ＲＯＡＤＭサービス側の光ファイバ接続のためのマッチング方法をさらに提供し、実施形態１に記載されたマッチング装置によって実現することができる。ＲＯＡＤＭサービス側に参照制御光チャネルを挿入し、前記参照制御光チャネルは、ＲＯＡＤＭのＷＳＳの動作波長範囲内で、かつサービス光チャネルの波長範囲外で動作する。具体的な設定については、実施形態１及び図１を参照することができ、具体的には次のとおりである。
【００４３】
単一方向ＲＯＡＤＭについて、図２の左半分のＲＯＡＤＭ下りリンクサービスリンクを参照すると、参照制御光チャネル送信側では、前記下りリンクＷＳＳ２により、各送信ポート間で参照制御光チャネル信号をポーリング送信（出射）する。ここで、各送信ポートを介して出射した前記参照制御光チャネル信号には、ＲＯＡＤＭカード情報及び対応する送信ポート情報が載せられている。
【００４４】
図２の右半分のＲＯＡＤＭ上りリンクサービスリンクを参照すると、参照制御光チャネル受信側では、前記上りリンクＷＳＳ４により、各受信ポートで前記参照制御光チャネル信号を、ポーリング、選択、受信する。前記参照制御光チャネル受信機３が任意の受信ポートを通じて他のＲＯＡＤＭから参照制御光チャネル信号を受信した場合、前記参照制御光チャネル信号に載せられている情報を解析し、これらの載せられている情報に基づいて、当該ＲＯＡＤＭの対応受信ポートと他のＲＯＡＤＭの対応送信ポートとの光ファイバ接続のマッチング関係を確立し、２ポートの光ファイバ接続の設定情報を生成する。
【００４５】
本発明によるＲＯＡＤＭサービス側光ファイバ接続のマッチング方法において、ＲＯＡＤＭサービス側に参照制御光チャネルを挿入し、参照制御光チャネルはサービス光チャネルの波長を占用せずに独立して通信することができる。ＲＯＡＤＭにおけるＷＳＳを用いて、参照制御光チャネルのＲＯＡＤＭ異なるサービス側ポート間におけるポーリングを制御し、異なる方向のＲＯＡＤＭのポート間の光ファイバ接続が正常に存在する場合には、ポートのマッチングを実現することができ、さらにサービスルーティングに正しい設定に情報を提供することができる。この方法はマッチング問い合わせの効率及び正確さが改善され、かつ強いリアルタイム性を有する。
【００４６】
図２に示された参照制御光チャネルを有するＲＯＡＤＭ構造図を例とし、単一方向ＲＯＡＤＭについて、下りリンクサービスにおいて、参照制御光チャネル信号のポーリング送信及び制御の手順は以下の通りである。前記下りリンクＷＳＳ２はポーリングにより、現在の送信ポートを決定し、参照制御光チャネル送信機によって、ＲＯＡＤＭカード情報及び現在の送信ポート情報が載せられた参照制御光チャネル信号を送信し、対応する送信ポートから出射（送信）され、参照制御光チャネル信号に載せられた情報が外部に送信される。
【００４７】
ここで、ｎ個の送信ポートに対して、前記下りリンクＷＳＳ２が順次にポーリングし、例えば、ポートａ１、ポートａ２、・・・、ポートａｎの昇順に従って順次ポーリングされてもよく、または他の指定された順序に従ってポーリングされてもよく、ここでは特に制限していない。現在、ポートａ１にポーリングされ、つまり、該方向ＲＯＡＤＭは、そのポートａ１から参照制御光チャネル信号を送信することを選択すると仮定すると、前記制御光チャネル送信機１によって、対応する情報が載せられている制御光チャネル信号が送信（出射）される。
【００４８】
例えば、現在、方向Ａ ＲＯＡＤＭである場合、前記参照制御光チャネル信号は方向Ａ ＲＯＡＤＭ情報及び対応するポートａ１情報が載せられている。前記参照制御光チャネル信号は、参照制御光チャネル送信機１により送信され、前記下りＷＳＳ２に注入された後、現在選択されているポートａ１から出射し、ポートａ１を介して対応する載せられた情報が外部に送信される。したがって、前記下りリンクＷＳＳを介して、前記参照制御光チャネルは各送信ポートで情報をポーリング送信することができる。
【００４９】
実際の応用において、サービス信号は必ずしも参照制御光チャネル信号と同時に発生する必要はなく、通常は、前記参照制御光チャネルを介して物理的光ファイバ接続の設定情報が先に確立され、次いでサービス信号と接続される。図２の装置図を参照すると、下りリンクサービスにおいて、下りリンクサービス信号が生成された後、前記合波器５と下りリンクＷＳＳ２に順次に注入された後、対応する送信ポートから出射される。
【００５０】
ここで、下りサービス光信号と前記参照制御光チャネル信号とが同時に存在する場合、前記下りサービス信号と参照制御光チャネルとが、まず合波器５により合波され、形成された合波光が、次いで前記下りリンクＷＳＳ２に注入され、対応する送信ポートから出射される。
【００５１】
前記下りリンクＷＳＳ２は、前記参照制御光チャネルを、独立して柔軟に任意の送信ポートに切り替えることができ、参照制御光チャネルはサービス光チャネルの波長を占用しないため、サービス光信号の有無に制限されることはなく、ネットワーク内の既存のサービス光信号にも影響を及ぼさない。
【００５２】
引き続き図２に示された参照制御光チャネルを有するＲＯＡＤＭ構造図を一例とすると、単一方向ＲＯＡＤＭについて、上りリンクサービスにおいて、上りリンクＷＳＳにより、各受信ポート間で前記参照制御光チャネルをポーリング、選択、受信する。具体的な手順は図５に示すように、以下のステップを含む。
【００５３】
ステップ３０１：前記上りリンクＷＳＳは、各受信ポートへのポーリングにより現在の受信ポートを決定する。送信ポートのポーリングと同様、ｎ個の受信ポートに対して、前記上りリンクＷＳＳは、ポートｂ１、ポートｂ２、・・・、ポートｂｎの昇順で順次にポーリングしてもよく、または他の指定された順序でポーリングしてもよく、ここでは制限しない。現在ポーリングされている受信ポートがポートｂ１であると仮定する。
【００５４】
ステップ３０２：現在の受信ポートを介して、参照制御光チャネル受信機が他の任意の方向ＲＯＡＤＭ送信ポートから出射した参照制御光チャネル信号を受信した場合、受信した前記参照制御光チャネル信号に載せられた情報を解析する。現在ポートｂ１が選択された後、前記参照制御光チャネル受信機３が参照制御光チャネル信号を受信できると仮定すると、ポートｂ１と他の方向ＲＯＡＤＭの送信ポートとの間に光ファイバ接続が存在していることを意味し、上記載せられている情報に対して解析を行う。
【００５５】
ここで、ポートｂ１を介して前記参照制御光チャネルを受信するプロセスは、具体的に、ＲＯＡＤＭの上りリンクサービス信号と前記参照制御光チャネルとの合波光が、現在のポートｂ１を介して前記上りリンクＷＳＳ４に入る。前記分波器６は、前記上りリンクサービス信号と前記参照制御光チャネルとを分離させ、前記参照制御光チャネルを前記参照制御光チャネル受信機３に注入させる。
【００５６】
ステップ３０３で、載せられた情報の解析により、前記参照制御光チャネル信号のＲＯＡＤＭ及び対応する送信ポートを決定し、当該ＲＯＡＤＭの現在の受信ポートと発射ＲＯＡＤＭに対応する送信ポートとの間の光ファイバ接続のマッチング関係を確立し、２ポートの光ファイバ接続の設定情報を生成する。
【００５７】
図４に示されたＲＯＡＤＭノードを例にすると、方向Ａ ＲＯＡＤＭ送信側ポートａ１が光ファイバにより、方向Ｃ ＲＯＡＤＭ受信側ポートｂ１に接続し、方向Ａ ＲＯＡＤＭ送信側ポートａ２が光ファイバにより、方向Ｄ ＲＯＡＤＭ受信側ポートｂ１に接続し、方向Ａ ＲＯＡＤＭの送信側のポートａｎは、光ファイバにより、方向Ｂ ＲＯＡＤＭの受信側のポートｂｎに接続する。
【００５８】
図４の光ファイバ接続の状況により、参照制御光チャネルにより各方向のＲＯＡＤＭポート間の光ファイバ接続関係の確立の手順は図６に示された通りである。方向Ａ ＲＯＡＤＭの参照制御光チャネルは、その下りリンクＷＳＳを介して各送信ポートでポーリングし、次いで信号に載せられた情報を送信し、他の各方向のＲＯＡＤＭ上りリンクＷＳＳは、それぞれの対応する各受信ポートでポーリングし、情報の受信を待つ。
【００５９】
方向Ａ ＲＯＡＤＭ下りリンクＷＳＳがポートａ１から参照制御光チャネル信号を送信することを選択し、同時に方向Ｃ ＲＯＡＤＭ上りリンクＷＳＳがポートｂ１で前記参照制御光チャネル信号の受信を選択した場合、方向Ｃ ＲＯＡＤＭで参照制御光信号受信機が、方向Ａ ＲＯＡＤＭポートａ１からの信号を解析することができ、さらに、方向Ａ ＲＯＡＤＭポートａ１及び方向Ｃ ＲＯＡＤＭポートｂ１の光ファイバの接続に関する設定情報を生成する。
【００６０】
同様に、方向Ａ ＲＯＡＤＭポートａ２及び方向Ｄ ＲＯＡＤＭポートｂ１の光ファイバの接続に関する設定情報、方向Ａ ＲＯＡＤＭポートａｎ及び方向Ｂ ＲＯＡＤＭポートｂｎの設定情報、及び図５に示されていない他の存在し得る設定情報も対応して自動的に生成することもできる。図６は、方向Ａ ＲＯＡＤＭ下りＷＳＳポートでポーリングし、同時に方向Ｂ ＲＯＡＤＭ上りＷＳＳポートでポーリングした場合のマッチングプロセスのフローを示し、ほかの各方向ＲＯＡＤＭ間のマッチング処理フローも同様に行われ、ここでは繰り返さない。
【００６１】
本発明に係るＲＯＡＤＭサービス側光ファイバ接続のマッチング方法は、ＷＳＳによってサポートされる波長範囲内で、かつサービス光チャネル波長範囲外で動作する参照制御光チャネルを用い、サービス光に対して干渉のない異なる方向ＲＯＡＤＭサービス側光ファイバ接続の自動ルーティング・マッチングを実現し、光ファイバ接続関係の手動による設定の効率低下という問題を解決した。
【００６２】
実施形態３
上述の実施形態１及び実施形態２を踏まえ、本発明はさらに前記参照制御光チャネルの他の応用例を提供する。実施形態１に記載された装置を用いて実施形態２に記載された方法によってＲＯＡＤＭサービス側光ファイバ接続のマッチング関係を確立した後、さらに前記制御光チャネルを使用して光ファイバの物理的接続性能を監視することもできる。
【００６３】
本発明に係る実施形態において、前記参照制御光チャネル送信機１が各送信ポートを介して送信（出射）した参照制御光チャネル信号には、送信光パワー情報がさらに載せられ、異なるＲＯＡＤＭの対応するポートの光ファイバ接続の設定情報が確立されたうえ、参照制御光チャネルは送信光パワー情報をさらに伝送することも可能であり、受信側で受信光パワーを検出することで、対応するリンクの挿入損失情報を取得し、設計値との比較を行い、性能的に不合格な光ファイバの物理的接続には警報を生成する。任意の方向Ｘ ＲＯＡＤＭの送信ポートｘと任意の方向Ｙ ＲＯＡＤＭの受信ポートｙとの間の接続関係が確立された後、２つのポート間の物理的接続性能を検出する手順は図７に示された通りであり、具体的には以下のステップを含む。
【００６４】
ステップ４０１：前記方向Ｙ ＲＯＡＤＭに対応する参照制御光チャネル受信機が受信光パワーを検出するとともに解析し、前記方向Ｘ ＲＯＡＤＭの参照制御光チャネル送信機によって送信ポートｘを介して送信された光パワー情報を取得して計算し、対応するリンク上の挿入損失情報を得る。
【００６５】
ここで、図８を参照して、方向Ｘ ＲＯＡＤＭの送信ポートｘと方向Ｙ ＲＯＡＤＭの受信ポートｙとの間の接続を例示する。該リンク上で、方向Ｘ ＲＯＡＤＭの参照制御光チャネル送信機（ポイントｔｐ１と表記）、方向Ｘ ＲＯＡＤＭポートｘ（ポイントｔｐ２と表記）、方向Ｙ ＲＯＡＤＭポートｙ（ポイントｔｐ３と表記）、及び方向Ｙ ＲＯＡＤＭ参照制御光チャネル受信機（ポイントｔｐ４と表記）がある。実際の使用では、検出、解析することにより、ポイントｔｐ１のパワーｐ１とポイントｔｐ４のパワーｐ４を得て、ｐ１−ｐ４が当該光信号リンク上の挿入損失値である。
【００６６】
ステップ４０２：ＲＯＡＤＭカードに予め格納した事前にキャリブレーションしておいた前記方向Ｘ ＲＯＡＤＭの参照制御光チャネル送信機の送信ポートｘまでの挿入損失、及び方向Ｙ ＲＯＡＤＭの受信ポートｙの参照制御光チャネル受信機までの挿入損失を取得する。
【００６７】
各異なる方向ＲＯＡＤＭに対し、ＲＯＡＤＭの工場出荷時に、前記参照制御用光チャネル送信機の各送信ポートまでの挿入損失、及び前記各受信ポートの参照制御用光チャネル送信機までの挿入損失は、予めキャリブレーションされている。例えば、ここでキャリブレーション結果により、方向Ｘ ＲＯＡＤＭ参照制御光チャネル送信機（ポイントｔｐ１）のポートｘ（ポイントｔｐ２）までの挿入損失はＩＬ１、方向Ｙ ＲＯＡＤＭのポートｙ（ポイントｔｐ３）の参照制御光チャネル送信機（ポイントｔｐ４）までの挿入損失はＩＬ２。
【００６８】
ステップ４０３：上記のデータに基づいて、方向Ｘ ＲＯＡＤＭ送信ポートｘと方向Ｙ ＲＯＡＤＭ受信ポートｙとの間の光ファイバの物理接続の挿入損失を計算する。方向Ｘ ＲＯＡＤＭポートｘ（ポイントｔｐ２）と方向Ｂ ＲＯＡＤＭポートｙ（ポイントｔｐ３）との間の光ファイバの物理的接続の挿入損失は、(p1−p4)−(IL1+IL2)であり、p1−p4>>IL1+IL2であれば、ｔｐ２とｔｐ３との間の光ファイバの物理的接続の挿入損失が大きすぎることを意味する。この場合、実際のアプリケーション応じて警報閾値を設定することができ、(p1−p4)−(IL1+IL2)が警報閾値を超えると警報が生成されるようにすることができる。
【００６９】
以上を要するに、異なるＲＯＡＤＭの対応するポート間に設定情報を確立したうえで、実施形態１に記載された前記装置を用いて、前記参照制御光チャネルにより、異なる方向ＲＯＡＤＭサービス側のポート間の光ファイバの物理的接続性能を監視することもできることがわかる。これは、本発明における前記参照制御光チャネルに関する他の応用例である。
【００７０】
実施形態４
上述の実施形態１及び実施形態２に基づいて、本発明はさらに前記参照制御光チャネルの他の応用例を提供する。実施形態１に記載された装置を用いて実施形態２に記載された方法により、ＲＯＡＤＭサービス側の光ファイバの接続関係を確立した後、前記参照制御光チャネルを用いて、異なるシャーシ間のカスケード接続通信チャネルの予備の物理チャネルとすることもできる。
【００７１】
第２実施形態におけるポートマッチングの後、２つの異なる方法ＲＯＡＤＭポート間でデュプレックス接続関係が確立され、２つの異なる方法ＲＯＡＤＭが異なるシャーシに位置する場合、前記参照制御光チャネルを、異なるシャーシ間のカスケード接続通信チャネルの代替の物理チャネルとし、シャーシ間カスケード接続インターラクティブのサービスの搬送に用いられる。
【００７２】
前記デュプレックス接続関係を確立するとは、具体的に、一の任意の方向のＸ ＲＯＡＤＭの送信ポートと他の任意の方向Ｙ ＲＯＡＤＭの受信ポートと接続関係を確立し、同時に方向Ｙ ＲＯＡＤＭの送信ポートと方向Ｘ ＲＯＡＤＭの受信ポートｘとの接続関係をも確立されることを意味する。方向Ｘ ＲＯＡＤＭと方向Ｙ ＲＯＡＤＭとの間にデュプレックス接続関係が確立され、デュプレックス通信を実現することができる。
【００７３】
具体的に図９を参照して、方向Ｘ ＲＯＡＤＭの送信ポートａｎは方向Ｙ ＲＯＡＤＭの受信ポートｂｎとマッチングされ、方向Ｙ ＲＯＡＤＭの送信ポートａｎは方向Ｘ ＲＯＡＤＭの受信ポートｂｎとマッチングされていると仮定する。前記方向Ｘ ＲＯＡＤＭはメインシャーシに位置し、前記方向Ｙ ＲＯＡＤＭはスレーブシャーシに位置し、前記メインシャーシと前記スレーブシャーシとの２つの装置の間にシャーシカスケード接続チャネルを設ける必要があり、２つのシャーシ間の通信接続を確立し、情報のやりとりを行う。
【００７４】
一般的に、前記シャーシカスケード接続チャネルは物理的接続チャネルであり、例えば、ネットワークインタフェースとネットワークケーブルとによって２つのシャーシ間の通信接続を確立し、ネットワークインタフェースが故障し、またはネットワークケーブルが切れたような問題が発生した場合、前記メインシャーシと前記スレーブシャーシとの間の通信接続が切断され、通常の通信に影響を及ぼすことになる。
【００７５】
方向Ｘ ＲＯＡＤＭのポートａｎ／ｂｎと方向Ｙ ＲＯＡＤＭのポートｂｎ／ａｎとが参照制御光チャネルによりデュプレックス通信接続を確立した後、前記参照制御光チャネルは、直接２つのシャーシ間の予備のシャーシカスケード接続チャネルとすることができる。ネットワークインタフェースが故障している場合やネットワークケーブルが切れた場合でも、２つのシャーシ間では、依然として、前記予備のシャーシカスケード接続チャネルにより、情報のやりとりを実現することができ、通常の通信に影響を及ぼすことなく、ネットワークケーブルによる接続を必要とせずに２つのシャーシ間の通信を実現することができる。
【００７６】
以上を要するに、異なる方向ＲＯＡＤＭサービス側の対応するポート間の設定情報の確立に基づいて、異なる方向ＲＯＡＤＭが異なるシャーシに配置されている場合、実施形態１に記載された前記装置を用い、異なる方向のＲＯＡＤＭの参照制御光チャネルの間の通信を用いて、異なるシャーシカスケード接続通信チャネル用の予備の物理チャネルとすることができ、これが本発明における前記参照制御光チャネルの別の応用例である。
【００７７】
以上の説明は、本発明の好適な実施形態であるにすぎず、本発明の制限に用いられるものではなく、本発明の趣旨及びその原則の範囲内での変更、均等な置き換え及び改良などは、いずれも本発明の保護範囲内に含まれる。
【符号の説明】
【００７８】
１  参照制御光チャネル送信機
２  下りリンクＷＳＳ
３  参照制御光チャネル受信機
４  上りリンクＷＳＳ
５  合波器
６  分波器
【図１】
2020048177.tif 000003
【図２】
2020048177.tif 000004
【図３】
2020048177.tif 000005
【図４】
2020048177.tif 000006
【図５】
2020048177.tif 000007
【図６】
2020048177.tif 000008
【図７】
2020048177.tif 000009
【図８】
2020048177.tif 000010
【図９】
2020048177.tif 000011
【外国語明細書】
2020048177000001.pdf